【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
遊技者による操作対象とされる操作手段と、
判定を行う判定手段と、
前記判定手段による判定にて所定の結果が得られたことに基づいて遊技者に特典を付与しうる特典付与手段と、
前記操作手段を摸した画像表示である摸画像表示が表示状態にあり且つ該摸画像表示として表現されている操作手段に対する操作受付が許容される摸画像受付許容期間を発生可能であり、該摸画像受付許容期間で操作受付がなされると、該操作受付がなされたことに応じた受付後変化を実行可能な受付期間実行手段と
を備え、
前記摸画像表示は、前記操作手段を摸した画像表示として周期的変化が現れるように表示可能とされる遊技機であって、
前記摸画像受付許容期間は、当該期間内で前記操作受付が１回しか許容されない操作手段を摸した画像表示だけが前記摸画像表示として表示状態にある特定種別の摸画像受付許容期間と、当該期間内で前記操作受付が複数回許容される操作手段を摸した画像表示が前記摸画像表示として少なくとも表示される特別種別の摸画像受付許容期間とに分類可能であり、
前記特定種別の摸画像受付許容期間では、当該期間内で前記操作受付が１回しか許容されておらず且つ前記摸画像表示として表現されている操作手段が操作されて操作受付がなされると、該操作手段に対応する前記摸画像表示にそれまで現れていた前記周期的変化が、前記操作受付のなかったときのように継続される場合がなく、該操作受付を契機として非表示にされるようになっており、
前記特別種別の摸画像受付許容期間では、当該期間内で前記操作受付が複数回許容されており且つ前記摸画像表示として表現されている操作手段が操作されて操作受付がなされると、該操作手段に対応する前記摸画像表示にそれまで現れていた前記周期的変化が、前記操作受付のなかったときのように継続される場合があるようになっており、
前記特定種別の摸画像受付許容期間及び前記特別種別の摸画像受付許容期間はいずれも、所定種別の演出音が可聴出力されているなかで発生可能であるが、
前記特定種別の摸画像受付許容期間には、前記所定種別の演出音が非可聴の状態にされているなかで発生条件が満たされる摸画像受付許容期間と、前記所定種別の演出音が可聴出力されているなかで発生条件が満たされる摸画像受付許容期間とが含まれており、
前記特別種別の摸画像受付許容期間には、特別の発生条件が満たされたときに発生する期間であるにもかかわらず、前記所定種別の演出音が非可聴の状態にされているなかで前記特別の発生条件が満たされて発生する場合と前記所定種別の演出音が可聴出力されているなかで前記特別の発生条件が満たされて発生する場合との両方がある摸画像受付許容期間が含まれており、該摸画像受付許容期間では、前記所定種別の演出音が可聴出力されているなかで発生する場合であっても、前記所定種別の演出音は、当該摸画像受付許容期間が終了するまでの間に非可聴の状態にされるようになっており、
さらに、
前記摸画像受付許容期間が発生するよりも前に特定の前演出表示が表示される場合があり、該特定の前演出表示は、当該摸画像受付許容期間の発生タイミングを跨るかたちで表示可能とされ、
前記摸画像受付許容期間において前記特定の前演出表示が表示されているなかで前記操作受付がなされた場合、該操作受付がなされたことに応じた前記受付後変化が実行開始される時点において前記特定の前演出表示は非表示の状態にされておらず表示されており、該受付後変化が実行途中の状況にあるなかで非表示にされる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下を抑制することが求められる。
【手続補正３】
【補正対象書類名】明細書
【補正対象項目名】０００７
【補正方法】変更
【補正の内容】
【０００７】
手段１：遊技者による操作対象とされる操作手段と、
判定を行う判定手段と、
前記判定手段による判定にて所定の結果が得られたことに基づいて遊技者に特典を付与しうる特典付与手段と、
前記操作手段を摸した画像表示である摸画像表示が表示状態にあり且つ該摸画像表示として表現されている操作手段に対する操作受付が許容される摸画像受付許容期間を発生可能であり、該摸画像受付許容期間で操作受付がなされると、該操作受付がなされたことに応じた受付後変化を実行可能な受付期間実行手段と
を備え、
前記摸画像表示は、前記操作手段を摸した画像表示として周期的変化が現れるように表示可能とされる遊技機であって、
前記摸画像受付許容期間は、当該期間内で前記操作受付が１回しか許容されない操作手段を摸した画像表示だけが前記摸画像表示として表示状態にある特定種別の摸画像受付許容期間と、当該期間内で前記操作受付が複数回許容される操作手段を摸した画像表示が前記摸画像表示として少なくとも表示される特別種別の摸画像受付許容期間とに分類可能であり、
前記特定種別の摸画像受付許容期間では、当該期間内で前記操作受付が１回しか許容されておらず且つ前記摸画像表示として表現されている操作手段が操作されて操作受付がなされると、該操作手段に対応する前記摸画像表示にそれまで現れていた前記周期的変化が、前記操作受付のなかったときのように継続される場合がなく、該操作受付を契機として非表示にされるようになっており、
前記特別種別の摸画像受付許容期間では、当該期間内で前記操作受付が複数回許容されており且つ前記摸画像表示として表現されている操作手段が操作されて操作受付がなされると、該操作手段に対応する前記摸画像表示にそれまで現れていた前記周期的変化が、前記操作受付のなかったときのように継続される場合があるようになっており、
前記特定種別の摸画像受付許容期間及び前記特別種別の摸画像受付許容期間はいずれも、所定種別の演出音が可聴出力されているなかで発生可能であるが、
前記特定種別の摸画像受付許容期間には、前記所定種別の演出音が非可聴の状態にされているなかで発生条件が満たされる摸画像受付許容期間と、前記所定種別の演出音が可聴出力されているなかで発生条件が満たされる摸画像受付許容期間とが含まれており、
前記特別種別の摸画像受付許容期間には、特別の発生条件が満たされたときに発生する期間であるにもかかわらず、前記所定種別の演出音が非可聴の状態にされているなかで前記特別の発生条件が満たされて発生する場合と前記所定種別の演出音が可聴出力されているなかで前記特別の発生条件が満たされて発生する場合との両方がある摸画像受付許容期間が含まれており、該摸画像受付許容期間では、前記所定種別の演出音が可聴出力されているなかで発生する場合であっても、前記所定種別の演出音は、当該摸画像受付許容期間が終了するまでの間に非可聴の状態にされるようになっており、
さらに、
前記摸画像受付許容期間が発生するよりも前に特定の前演出表示が表示される場合があり、該特定の前演出表示は、当該摸画像受付許容期間の発生タイミングを跨るかたちで表示可能とされ、
前記摸画像受付許容期間において前記特定の前演出表示が表示されているなかで前記操作受付がなされた場合、該操作受付がなされたことに応じた前記受付後変化が実行開始される時点において前記特定の前演出表示は非表示の状態にされておらず表示されており、該受付後変化が実行途中の状況にあるなかで非表示にされる
ことを特徴とする遊技機。
【手続補正４】
【補正対象書類名】明細書
【補正対象項目名】０００８
【補正方法】削除
【補正の内容】